(57)【特許請求の範囲】
【請求項１】
取付部位に形成した開口部に取り付けるスピーカユニットであって、
側面及び底面を有するキャビネット部と、
前記キャビネット部の前記底面に設けたスピーカ面と、
前記キャビネット部の前記側面に設けられ、前記キャビネット部の少なくとも一部を前記取付部位の表側から前記開口部に挿入した状態で前記スピーカユニットを仮止め係合する仮止機構と
を備え、
前記仮止機構は、前記スピーカユニットを前記取付部位に仮止め係合する係合部と、前記係合部を保持する保持部と、を有し、
前記係合部は、前記取付部位に係合しうる係合位置と、前記取付部位から退避して係合を解除する解除位置とに移動可能であり、
前記保持部は、前記係合部を前記解除位置にて保持する保持溝と、前記係合部の前記係合位置から前記係合部の前記解除位置まで連通するように形成されたガイド溝と、を有する
ことを特徴とするスピーカユニット。
【請求項２】
前記ガイド溝は、前記係合部の移動方向に対して傾斜する傾斜面を有し、
前記保持溝は、前記傾斜面の端部から連続して前記係合部の移動方向と直交する方向に形成される
ことを特徴とする請求項１に記載のスピーカユニット。
【請求項３】
前記保持部は、前記キャビネット部の前記底面の外周縁から径方向の外側へ突出するフランジ部の開口または切欠と一体となるように形成される
ことを特徴とする請求項１又は２に記載のスピーカユニット。
【請求項４】
取付部位に形成した開口部に取り付けるスピーカユニットであって、
側面及び底面を有するキャビネット部と、
前記キャビネット部の前記底面に設けたスピーカ面と、
前記キャビネット部の前記側面に設けられ、前記キャビネット部の少なくとも一部を前記取付部位の表側から前記開口部に挿入した状態で前記スピーカユニットを仮止め係合する仮止機構と
を備え、
前記仮止機構は、前記スピーカユニットを前記取付部位に仮止め係合する係合部と、前記係合部を保持する保持部と、を有し、
前記係合部は、前記取付部位に係合しうる係合位置と、前記取付部位から退避して係合を解除する解除位置とに移動可能であり、
前記保持部は、前記係合部を前記解除位置にて保持し、かつ、前記キャビネット部の前記底面の外周縁から径方向の外側へ突出するフランジ部の開口または切欠と一体となるように形成される
ことを特徴とするスピーカユニット。
【請求項５】
前記係合部の先端が、前記スピーカ面よりも表側に突出している
ことを特徴とする請求項３又は４に記載のスピーカユニット。
【請求項６】
前記係合部の先端が、前記スピーカ面よりも裏側に配置される
ことを特徴とする請求項３又は４に記載のスピーカユニット。
【発明の詳細な説明】
【技術分野】
【０００１】
本発明は、天井や側壁などの取付部位に形成した開口部に埋め込んで設置する埋込型のスピーカユニットに関する。
【背景技術】
【０００２】
従来、例えば特許文献１に示すように、室内の天井などに形成した開口部に埋め込んで設置する埋込型のスピーカユニット（シーリングスピーカ）がある。このようなスピーカユニットは、略円筒状のキャビネット部と、キャビネット部の底面に設けたスピーカ面とを備える。そして、スピーカ面を天井の表面（下面）側に露出させた状態でキャビネット部を天井の取付孔に差し込み、その状態でボルトなどの締結によって固定する。このようなスピーカの取付構造には、ボルトなどの締結前や締結の解除後に重量物であるスピーカユニットが誤って落下することを防止するため、例えば特許文献１に示すような仮止機構が設けられている。
【０００３】
特許文献１に記載の仮止機構は、スピーカユニットが開口部から落下しない状態で確実に仮止めを行うため、複数配設されている。ここで、メンテナンスや交換のためにスピーカユニットを取り外す場合、仮止機構の取付孔に対する複数の仮止めをすべて解除する必要がある。この場合、３つ以上の仮止めを同時に解除することはできないため、作業者は、片手で一部の仮止機構を解除した状態で保持しつつ、他の仮止機構の解除をもう一方の手で行っていた。
【０００４】
しかしながら、スピーカユニットの重量がある場合やスピーカユニットが高所にある場合に、作業者の片手が塞がっていると、安全が確保できず、スピーカユニットの取り付け及び取り外しの作業の効率が悪いという問題があった。
【先行技術文献】
【特許文献】
【０００５】
【特許文献１】特開２０１４−０１７８１０号公報
【発明の概要】
【発明が解決しようとする課題】
【０００６】
本発明は上述の点に鑑みてなされたものであり、その目的は、簡単な構成で、取付部位に対する取り付け及び取り外しの作業を安全且つ効率よく行うことのできるスピーカユニットを提供することにある。
【課題を解決するための手段】
【０００７】
上記課題を解決するため、本発明にかかるスピーカユニット（１）は、取付部位（６０）に形成した開口部（６１）に取り付けるスピーカユニット（１）であって、側面（２ｃ）及び底面（２ａ）を有するキャビネット部（２）と、キャビネット部（２）の底面（２ａ）に設けたスピーカ面（４）と、キャビネット部（２）の側面（２ｃ）に設けられ、キャビネット部（２）の少なくとも一部を取付部位（６０）の表側から開口部（６１）に挿入した状態でスピーカユニット（１）を仮止め係合する仮止機構（１０）とを備え、仮止機構（１０）は、スピーカユニット（１）を取付部位（６０）に仮止め係合する係合部（１３）と、係合部（１３）を保持する保持部（１７）と、を有し、係合部（１３）は取付部位（６０）に係合しうる係合位置と取付部位（６０）から退避して係合を解除する解除位置とに移動可能であり、保持部（１７）は、係合部（１３）を解除位置にて保持する保持溝（１７ａ）と、係合部（１３）の係合位置から係合部（１３）の解除位置まで連通するように形成されたガイド溝（１７ｂ）と、を有する。
【０００８】
このように、仮止機構（１０）に保持部（１７）を設けたことで、係合部（１３）を解除位置に保持することができるため、仮止機構（１０）に係合部（１３）が複数ある場合でも、係合を解除した係合部（１３）を作業者が片手で保持しておく必要がなくなる。すると、作業者は複数の係合部（１３）の係合を順次解除していくことができ、スピーカユニット（１）の取付部位（６０）からの取り外しを効率よく行うことができる。また、すべての係合部（１３）の解除を行った場合、作業者は両手が開いているため、スピーカユニット（１）を確実に把持することができ、スピーカユニット（１）を取付部位（６０）から安全に取り外すことができる。
【０００９】
また、スピーカユニット（１）を取付部位に取り付ける際にも、あらかじめ上記の保持部（１７）で係合部（１３）を解除位置に保持しておいた状態でスピーカユニット（１）を取付部位に配置し、その後、保持部（１７）による保持を解除して係合部（１３）を取付部位（６０）に係合させることができる。これにより、スピーカユニット（１）の取り付けの際の仮止め作業をスムーズかつ安全に行うことができる。
【００１０】
また、保持部（１７）がガイド溝（１７ｂ）から連通する保持溝（１７ａ）を有することで、係合部（１３）を解除位置まで円滑に導くことができ、スピーカユニット（１）の取り付け及び取り外しを尚更効率よく行うことができる。
【００１１】
また、上記スピーカユニット（１）において、ガイド溝（１７ｂ）は、係合部（１３）の移動方向に対して傾斜する傾斜面（１７ｂ１）を有し、保持溝（１７ａ）が、傾斜面（１７ｂ１）の端部から連続して係合部（１３）の移動方向と直交する方向に形成されていてもよい。このように、移動方向に対して傾斜する傾斜面（１７ｂ１）が構成されることで、作業者が、係合を解除すべく係合部（１３）を移動させると、係合部（１３）が傾斜面（１７ｂ１）に沿って移動方向に対して傾斜する方向に導かれる。ここで、保持溝（１７ａ）が係合部（１３）の移動方向と直交する方向に形成されるため、係合部（１３）が移動方向から遷移した状態から移動方向と直交する方向に移動した位置で保持溝（１７ａ）に保持される。このように、係合部（１３）を保持部（１７）が確実に保持するため、作業者が係合部（１３）を保持する必要はなくなり、スピーカユニット（１）の取り付け及び取り外しの作業をさらに効率よく且つ安全に行うことができる。
【００１２】
また、上記スピーカユニット（１）において、保持部（１７）を、キャビネット部（２）の底面（２ａ）の外周縁から径方向の外側へ突出するフランジ部（５）の開口（５ａ）または切欠と一体となるように形成してもよい。このように、保持部（１７）の構成をフランジ部（５）の開口（５ａ）または切欠と一体となるように形成すると、作業者は、開口（５ａ）から係合部（１３）を視認しつつ作業を行うことができるため、保持部（１７）による係合部（１３）の保持作業をより効率的に行うことができる。同様の観点に従う本発明にかかる別のスピーカユニット（１）は、取付部位（６０）に形成した開口部（６１）に取り付けるスピーカユニット（１）であって、側面（２ｃ）及び底面（２ａ）を有するキャビネット部（２）と、キャビネット部（２）の底面（２ａ）に設けたスピーカ面（４）と、キャビネット部（２）の側面（２ｃ）に設けられ、キャビネット部（２）の少なくとも一部を取付部位（６０）の表側から開口部（６１）に挿入した状態でスピーカユニット（１）を仮止め係合する仮止機構（１０）とを備え、仮止機構（１０）は、スピーカユニット（１）を取付部位（６０）に仮止め係合する係合部（１３）と、係合部（１３）を保持する保持部（１７）と、を有し、係合部（１３）は取付部位（６０）に係合しうる係合位置と取付部位（６０）から退避して係合を解除する解除位置とに移動可能であり、保持部（１７）は、係合部（１３）を解除位置にて保持し、かつ、キャビネット部（２）の底面（２ａ）の外周縁から径方向の外側へ突出するフランジ部（５）の開口（５ａ）または切欠と一体となるように形成される。
【００１３】
また、上記スピーカユニット（１）において、係合部（１３）の先端が、スピーカ面（４）よりも表側に突出するように構成してもよい。係合部（１３）の先端がスピーカ面（４）よりも表側に突出することで、作業者は係合部（１３）をより操作及び視認しやすくなる。
【００１４】
一方、上記スピーカユニット（１）において、係合部（１３）の先端が、スピーカ面（４）よりも裏側に配置されるように構成してもよい。係合部（１３）の先端がスピーカ面（４）よりも裏側に配置されると、係合部（１３）がスピーカ面（４）から突出しないため、スピーカ面（４）周辺の構造の自由度を高めることができる。この構造であっても、作業者は、開口（５ａ）から係合部（１３）を視認しつつ作業を行うことができるため、保持部（１７）による係合部（１３）の保持作業を効率的に行うことができる。
なお、上記の括弧内の符号は、後述する実施形態の対応する構成要素の符号を本発明の一例として示したものである。
【発明の効果】
【００１５】
本発明にかかるスピーカユニットによれば、簡単な構成で、取付部位に対する取り付け及び取り外しを安全且つ効率よく行うことができる。
【図面の簡単な説明】
【００１６】
【図１】本発明にかかるスピーカユニットの一実施例を、それを取り付ける取付孔の一例と共に、概略的に説明する斜視図である。
【図２】スピーカユニットの概略平面図で、スピーカ面の表側から見た図である。
【図３】スピーカユニットを取付部位の取付孔に仮止めした状態を示す図であり、（ａ）は、仮止機構の側断面図、（ｂ）は、（ａ）のＸ側から見た側面図、（ｃ）は、（ａ）のＹ側から見た正面図である。
【図４】仮止機構をフランジ部の表側から見た斜視図であり、（ａ）は、操作部が取付部位に係合しうる係合位置にある状態、（ｂ）は、操作部がガイド溝の傾斜面に当接した状態、（ｃ）は、操作部が保持溝に到達した状態、（ｄ）は、操作部が取付部位から退避して係合を解除した解除位置において保持溝に保持された状態を示す図である。
【図５】ストッパー機構の構成及び動作を説明するための概略の斜視図で、（ａ）は、ストッパー片が初期位置にある状態、（ｂ）は、ストッパー片が初期位置から回動した状態、（ｃ）は、ストッパー片が固定位置にある状態を示す図である。
【図６】スピーカユニットを取付部位から取り外す手順を示す図で、（ａ）は、係合部が係合位置にある状態、（ｂ）は、係合部が解除位置にある状態、（ｃ）は、キャビネット部を取付部位から離間させた状態、を示す図である。
【図７】スピーカユニットを取付部位へ取り付ける手順を示す図で、（ａ）は、キャビネット部を取付部位へ取り付ける前の状態、（ｂ）は、係合部が解除位置にある状態、（ｃ）は、係合部が係合位置に移動した状態、を示す図である。
【発明を実施するための形態】
【００１７】
以下、添付図面を参照して本発明の実施形態を詳細に説明する。図１は、本発明にかかるスピーカユニットの一実施例を、それを取り付ける取付孔の一例と共に、概略的に説明する斜視図である。なお、以下の説明で、表側とは、スピーカユニット１を取付部位６０に取り付けた状態で取付部位６０の外側から視認しうる側（取付部位６０の外部側）であり、裏側とは、スピーカユニット１を取付部位６０に取り付けた状態で取付部位６０の外側から視認し得ない側（取付部位６０の内部側）である。また、以下の説明において、上又は上側というときはスピーカユニット１の裏側を、下又は下側というときはスピーカユニット１の表側を指すものとする。
【００１８】
本発明にかかるスピーカユニット１は、天井等の取付部位６０に形成した取付孔（開口部）６１に埋め込んで設置する埋込型のスピーカユニット（シーリングスピーカ）である。取付部位６０の取付孔６１は、取付部位６０の表側６０ａから裏側６０ｂに貫通する円形の貫通孔からなる。スピーカユニット１は、側面２ｃ及び底面２ａを有するキャビネット部２と、キャビネット部２の底面２ａに設けたスピーカ面４と、スピーカ面４を保護するためにスピーカ面４の表側に取り付くスピーカカバー９を備える。
【００１９】
キャビネット部２の底面２ａ及びその近傍の外周には、底部カバー７が設けられる。底部カバー７は、キャビネット部２の底面２ａ及びその上側の一部の外周を囲む環状の部分であって、その外周面（外周縁）７ｃの径寸法は、取付孔６１の内周縁６１ａよりも僅かに小さな径寸法であって、キャビネット部２の上端側の外径寸法よりも大きな寸法になっている。したがって、底部カバー７は、キャビネット部２の底面２ａ及びその近傍の外周面において外径側に突出する環状の突起として形成される。また、この底部カバー７は、スピーカユニット１を取付孔６１に設置した状態で、その外周面７ｃが取付孔６１の内周縁６１ａに沿って僅かな隙間を介して対向するように形成されている。なお、本実施形態では、底部カバー７は、合成樹脂製の部材であり、底部カバー７よりも上側のキャビネット部２も、合成樹脂製の部材である。ただし、これ以外にも、底部カバー７のみを合成樹脂製として、底部カバー７よりも上側のキャビネット部２を金属製とするなど、他の材質を選択することも可能である。
【００２０】
底部カバー７の下端には、キャビネット部２の底面２ａの外周縁から径方向の外側へ突出する薄板状のフランジ部５が形成される。フランジ部５は、底部カバー７と一体に形成されており、キャビネット部２の底面２ａ（スピーカ面４）と略同一の高さ位置でその面が径方向の外側へ延びる環状の縁部として形成される。
【００２１】
また、キャビネット部２の側面２ｃには、スピーカユニット１を取付孔６１内に仮止めするための仮止機構１０が設けられる。仮止機構１０は、キャビネット部２の側面２ｃに複数設けられ、キャビネット部２の少なくとも一部を取付部位６０の表側６０ａから取付孔６１に挿入した状態で、取付部位６０に対してスピーカユニット１を仮止め係合する。仮止機構１０は、弾性金属製の細板からなる仮止めタブ１１に形成され取付部位６０に仮止め係合する係合部１３と、取付部位６０の表側６０ａに露出する係合部１３の先端側の一部である操作部１５と、係合部１３をその仮止め係合を解除する解除位置（図６（ｂ）参照）で保持する保持部１７と、を有する。仮止機構１０の詳細構成は後述する。
【００２２】
更に、キャビネット部２の側面２ｃには、仮止機構１０によって取付孔６１内に仮止めしたスピーカユニット１を本固定するためのストッパー機構３０が設けられる。ストッパー機構３０は、キャビネット部２の側方で上下方向へ移動可能に設置したストッパー片３１を備える。そして、フランジ部５とストッパー片３１との間に取付孔６１の内周縁６１ａを挟持することでスピーカユニット１を固定する構造である。
【００２３】
図２は、スピーカユニット１の概略平面図で、スピーカ面４の表側から見た図である。スピーカユニット１の表側はキャビネット部２の底面２ａであり、スピーカ面４の周辺にフランジ部５が形成されている。フランジ部５には、係合部１３の先端である操作部１５を保持する保持部１７が複数箇所形成されている。本実施形態では保持部１７は、仮止機構１０の数と位置に対応して、フランジ部５の周上に４箇所、均等に配設される。
【００２４】
保持部１７は、フランジ部５に形成された開口５ａの縁に、操作部１５を保持するための保持溝１７ａと保持溝１７ａから連通するガイド溝１７ｂとが形成されて構成される。図２に示すように、フランジ部５に形成される開口５ａからは、係合部１３の先端である操作部１５がスピーカ面４より表側から視認可能である。
【００２５】
なお、本実施形態では、４箇所の孔である開口５ａをフランジ部５に形成することで操作部１５を表側（下側）に対して遮蔽しない構造としたが、これに限るものではなく、作業者が表側から操作部１５の視認が可能となるように構成されていればよい。例えば、スピーカ面４の周囲でフランジ部５の内周全域に連続的なドーナツ状の開口部を形成してもよい。また、フランジ部５の周囲に、仮止機構１０と対応する数の複数の切欠を形成するものであってもよい。
【００２６】
次に、仮止機構１０の詳細構成を説明する。図３は、スピーカユニットを取付部位６０の取付孔６１に仮止めした状態を示す図であり、（ａ）は、仮止機構１０の側断面図、（ｂ）は、（ａ）のＸ側から見た側面図、（ｃ）は、（ａ）のＹ側から見た平面図である。なお、図３（ａ）の断面図は、仮止機構１０の係合部１３の位置での縦断面を示している。また、キャビネット部２は外形のみを図示しており、その内部構造は図示を省略している。
【００２７】
図３（ａ）及び（ｂ）に示すように、仮止機構１０は、キャビネット部２の天面２ｂに取り付けられ、側面２ｃ側に突出した仮止めタブ（仮止め片）１１を備える。仮止めタブ１１は、キャビネット部２の天面２ｂにネジ１２ａの締結で取り付けられる取付部１２と、取付部位６０の裏側６０ｂにおける取付孔６１の内周縁６１ａに係合する段状の係合部１３と、取付部１２からキャビネット部２の径方向の外側且つ底面２ａ側に向かって斜め下方に延伸して係合部１３の外径端１３ａに接続される傾斜部１４と、係合部１３の内径端１３ｂからキャビネット部２の底面２ａ側に向かって縦方向に延伸したのちに係合部１３の先端となる操作部１５とを一体に備えて構成されている。本実施形態では、係合部１３は取付部位６０の裏側６０ｂに対して直接係合するのではなく、予め取付部位６０の取付孔６１の内周縁６１ａに取り付けた取付用金具６５を介して係合している。なお、本実施形態では、仮止めタブ１１をキャビネット部２の天面２ｂに取り付けているが、これに限らず、キャビネット部２の側面２ｃに取り付けることとしてもよい。また、本実施形態では、仮止めタブ１１のキャビネット部２に対する取り付けにネジ１２ａを用いたが、これに限らず、リベットを用いる締結でもよく、また接着や溶接等によって取り付ける構造でもよい。
【００２８】
図３（ｂ）に示すように、操作部１５の幅は、係合部１３や傾斜部１４の幅よりも狭く構成される。このため、作業者は、操作部１５を操作しやすくなり、仮止めタブ１１の操作性を向上させている。また、操作部１５がスピーカ面４よりも表側に突出する本実施形態の構成においては、操作部１５を小さく構成することで、開口５ａや保持部１７も小さく構成することができる。すると、スピーカ面４の周辺に形成される開口５ａの面積を小さくすることができ、開口５ａを形成することで音質に影響を与えることを最小限に抑えることができる。なお、本実施形態では、仮止めタブ１１の先端の操作部１５がスピーカ面４よりも表側に突出しているが、これに限るものではない。操作部１５が裏側に配置される状態（操作部１５が開口５ａから表側に突出していない状態）であってもよい。
【００２９】
図３（ｃ）に示すように、保持部１７は、開口５ａの周囲に、保持溝１７ａとガイド溝１７ｂとが形成される構造であり、開口５ａの表側から見て数字の「７」が左右逆転したものと似た形状となるように溝が形成される。具体的には、操作部１５の移動方向Ｄ１に対して傾斜する傾斜面１７ｂ１を有するガイド溝１７ｂと、傾斜面１７ｂ１の端部から連続して形成され操作部１５の移動方向Ｄ１と直交する直交方向Ｄ２が長手になるように形成される保持溝１７ａとを有する。この構成により、作業者が操作部１５を移動方向Ｄ１のキャビネット部２側に操作すると、操作部１５は、ガイド溝１７ｂの傾斜面１７ｂ１にガイドされつつ、図３（ｃ）の上側に移動する。図中、保持部１７の右端に操作部１５が到達すると、操作部１５が仮止めタブ１１の弾性により直交方向Ｄ２の下方に移動し、保持溝１７ａで保持される。
【００３０】
図４を用いて、仮止機構１０の仮止めタブ１１全体の動きをより具体的に説明する。図４は、仮止機構１０をフランジ部５の表側から見た斜視図であり、（ａ）は、係合部１３が取付部位６０に係合しうる係合位置にある状態、（ｂ）は、操作部１５がガイド溝１７ｂの傾斜面１７ｂ１に当接した状態、（ｃ）は、操作部１５が保持溝１７ａに到達した状態、（ｄ）は、係合部１３が取付部位６０から退避して係合を解除した解除位置において操作部１５が保持溝１７ａに保持された状態を示す図である。なお、図４では、仮止機構１０の構造及び動作を明示するために、取付部位６０、取付孔６１、取付用金具６５等を省略している。
【００３１】
図４（ａ）に示すように、係合部１３が取付部位６０に係合しうる係合位置にある場合には、操作部１５がガイド溝１７ｂのフランジ部５の径方向の外側に位置している。図４（ｂ）に示すように、操作部１５をフランジ部５の径方向の内側へ操作すると、操作部１５と一体的に形成された仮止めタブ１１の係合部１３がキャビネット部２側（径方向の内側、以下同様）に移動する。このとき、操作部１５は、操作部１５の移動方向に対して傾斜するようにガイド溝１７ｂの側面に形成された傾斜面１７ｂ１に沿ってガイドされつつ移動する。図４（ｃ）に示すように、操作部１５を保持部１７内でフランジ部５の径方向の内側まで押し込むと、操作部１５と一体である係合部１３も取付孔６１の内周縁６１ａよりもキャビネット部２側に移動する。この状態では係合部１３が取付部位６０に係合しない解除位置にある。この状態において、弾性部材にて構成される仮止めタブ１１は、傾斜面１７ｂ１に導かれて図中右側（図４（ｃ）の矢印Ｒ側）に移動して弾性変形した状態にあるので、図中左側（図４（ｃ）の矢印Ｌ側）に戻ろうとする復元力が作用している。この状態で作業者が手を離すと、図４（ｄ）に示すように、操作部１５は、仮止めタブ１１に蓄積された復元力により、図中左側に移動する。これにより、操作部１５が保持溝１７ａに入り込むことで位置決め（係止）され、仮止めタブ１１の係合部１３が取付孔６１の内周縁６１ａよりもキャビネット部２側に位置する解除位置で保持されることとなる。
【００３２】
なお、スピーカユニット１は、上述の仮止機構１０を用いて仮止め固定した後、ストッパー機構３０によって本固定が行われることで、取付部位６０に完全に取り付くことになる。この本固定におけるストッパー機構３０の構造及び動作を、図５を用いて説明する。図５は、ストッパー機構３０の構成及び動作を説明するための概略の斜視図で、（ａ）は、ストッパー片３１が初期位置にある状態、（ｂ）は、ストッパー片３１が初期位置から回動した状態、（ｃ）は、ストッパー片３１が固定位置にある状態を示す図である。なお、図５では、図１に示すものと比較して、ストッパー片３１の形状を簡略化して図示している。
【００３３】
ストッパー機構３０は、ネジ軸３３を回転自在に支持する枠部３５と、ネジ軸３３に螺合してその一部が枠部３５内に設置された略柱形状のストッパー片３１とを備える。ネジ軸３３は、スピーカユニット１の底面２ａ（スピーカ面４と同一面）に露出する頭部３３ａと、頭部３３ａからキャビネット部２の軸方向（上下方向）に沿って底部カバー７を貫通し、枠部３５内を上壁３５ｅまで延びる軸部３３ｂとを有する。軸部３３ｂの外周面には、ネジ溝が形成されている。軸部３３ｂの上端は、枠部３５の上壁３５ｅに対して回転自在に取り付けられている。ネジ軸３３は、スピーカユニット１の底面２ａ側から頭部３３ａをドライバーなどの工具（図示せず）で回転させることで、枠部３５内で軸周りに回転するようになっている。また、ストッパー片３１は、その根元側の端部の近傍がネジ軸３３に螺合しており、ネジ軸３３の回転に伴い取付部位６０の表面と平行な面内でネジ軸３３と一体に回転可能、且つ、ネジ軸３３に対してネジの送りで上下方向に移動可能となっている。ストッパー片３１は、枠部３５の前面に形成した縦方向に延びるスリット状の開口３５ａ内と、枠部３５の一の側壁３５ｄの上端に形成した切欠部３５ｃ内とを移動するようになっている。
【００３４】
上記構成のストッパー機構３０では、ストッパー片３１が開口３５ａ内の最上端に位置しているときには、ネジ軸３３が下側（表側）から見て反時計回りに回転することで、図５（ａ）に示すように、ストッパー片３１が同方向に回動して切欠部３５ｃ内に配置される。この位置をストッパー機構３０の初期位置という。この初期位置で、スピーカユニット１の底面２ａ側からネジ軸３３の頭部３３ａをドライバーなどの工具で回転させることで、ネジ軸３３を下側（表側）から見て時計回りに回転させると、ネジ軸３３に螺合しているストッパー片３１が同方向に回動する。ストッパー片３１は、図５（ｂ）に示すように、初期位置から上側（裏側）から見て反時計回りに９０°回転した位置で枠部３５の側壁３５ｂに当接することで、それ以上の回動が規制される。そこからネジ軸３３をさらに時計回りに回転させると、ネジ軸３３の回転に従いストッパー片３１が開口３５ａ内を底部カバー７側へ下降してゆく。その後、ストッパー片３１の下面３１ｂが取付孔６１の内周縁６１ａ（取付部位の裏側６０ｂ）に当接する。
【００３５】
ネジ軸３３に対してストッパー片３１を更に下降させると、取付部位に対して取付孔６１内のスピーカユニット１の位置が次第に上昇してゆく。最終的に、ストッパー片３１の下面３１ｂとフランジ部５とで取付孔６１の内周縁６１ａが挟持されて、取付孔６１内でのスピーカユニット１の固定（本固定）がなされる。以下、この位置をストッパー機構３０の固定位置という。
【００３６】
一方、ストッパー機構３０によるスピーカユニット１の固定（本固定）を解除するには、ストッパー機構３０が上記の固定位置にある状態で、ネジ軸３３を下側（表側）から見て反時計回りに回転させる。これにより、ネジ軸３３に対してストッパー片３１が上昇することで、ストッパー片３１とフランジ部５とによる取付孔６１の内周縁６１ａの挟持が解除される。さらにネジ軸３３を上側（裏側）から見て時計回りに回転させるとストッパー片３１が上昇し、取付孔６１内でスピーカユニット１の位置が次第に下降してゆく。最終的には、仮止めタブ１１の係合部１３が取付部位の裏側６０ｂ（取付孔６１の内周縁６１ａ）に当接する位置でスピーカユニット１の下降が停止する。その後、さらにネジ軸３３を上側（裏側）から見て時計回りに回転させると、ストッパー片３１が開口３５ａの最上端まで上昇し、そこから下側（表側）から見て反時計回りに回転して初期位置に戻る。
【００３７】
次に、スピーカユニット１を取付部位６０の取付孔６１から取り外す手順を図６を用いて説明する。図６は、スピーカユニット１を取付部位６０から取り外す手順を示す図で、（ａ）は、係合部１３が係合位置にある状態、（ｂ）は、係合部１３が解除位置にある状態、（ｃ）は、キャビネット部２を取付部位６０から離間させた状態、を示す図である。
【００３８】
スピーカユニット１が本固定された状態においては、仮止めされている状態（図３（ａ）の状態）よりも、キャビネット部２が取付部位６０の裏側（上側）に押し込まれた状態である。この状態で、ストッパー機構３０のストッパー片３１を上述の手順で固定位置から初期位置に戻すことで、本固定の解除がなされる。本固定の解除を行っても、係合部１３は依然、図６（ａ）で示す係合位置にあり、仮止め状態である。このため、キャビネット部２を取り外そうとしても、取付孔６１からは外れない。ここで、図６（ａ）に示すように、操作部１５を白抜き矢印方向に移動させると、係合部１３が係合位置から解除位置に移動する。図６（ｂ）に示すように、操作部１５が保持部１７の保持溝１７ａに保持され、全ての仮止機構１０の係合部１３が解除位置になると、仮止機構１０による仮止め状態が解除されるため、スピーカユニット１を取付部位６０の取付孔６１から取り外すことができるようになる。この状態で、図６（ｃ）に示すように、スピーカユニット１を下方に移動させることで、スピーカユニット１を取付部位６０の取付孔６１から離間させる（抜き出す）ことができる。
【００３９】
一方、スピーカユニット１を取付部位６０の取付孔６１へ取り付ける手順を図７を用いて説明する。図７は、スピーカユニット１を取付部位６０へ取り付ける手順を示す図で、（ａ）は、キャビネット部２を取付部位６０へ取り付ける前の状態、（ｂ）は、係合部１３が解除位置にある状態、（ｃ）は、係合部１３が係合位置に移動した状態、を示す図である。
【００４０】
図７（ａ）に示すように、スピーカユニット１を取付部位６０に取り付ける場合には、スピーカユニット１のキャビネット部２を取付部位６０の取付孔６１に挿入するように移動させる。この状態で、係合部１３は上述の保持部１７（保持溝１７ａ）により係合の解除状態で保持される。そして、図７（ｂ）に示すように、仮止機構１０の係合部１３が取付用金具６５よりも上方にくるまでキャビネット部２を移動させたとき、保持部１７（保持溝１７ａ）による操作部１５の保持を解除する。これにより、図７（ｃ）に示すように、係合部１３が解除位置から係合位置に移動し、スピーカユニット１を取付部位６０に対して仮止めすることができる。保持部１７による操作部１５の保持を全て（本実施形態では４箇所）解除した後、上述のストッパー機構３０による本固定を行うことで、スピーカユニット１を取付部位６０に取り付けることができる。
【００４１】
以上説明したように、本実施形態のスピーカユニット１は、仮止機構１０に保持部１７を設けたことで、係合部１３を解除位置に保持することができる。このため、仮止機構１０に係合部１３が複数ある場合でも、係合を解除した係合部１３を作業者が片手で保持しておく必要がなくなる。すると、作業者は複数の係合部１３の係合を順次解除していくことができ、スピーカユニット１の取付部位６０への取り付け及び取り外しを効率よく行うことができる。また、係合部１３の解除をすべて行った場合、作業者は両手が開いているため、スピーカユニット１を確実に把持することができ、スピーカユニット１を取付部位６０から安全に取り外すことができる。
【００４２】
また、保持部１７がガイド溝１７ｂから連通する保持溝１７ａを有することで、係合部１３を解除位置まで円滑に導くことができ、スピーカユニット１の取り外しをより効率よく行うことができる。更に、操作部１５の移動方向に対して傾斜する傾斜面１７ｂ１がガイド溝１７ｂに形成されていることで、作業者が、係合部１３の係合を解除すべく操作部１５を移動させると、操作部１５が傾斜面１７ｂ１に沿って移動方向に対して傾斜する方向に導かれる。ここで、保持溝１７ａが係合部１３の移動方向と直交する方向に形成されているため、操作部１５が移動方向から遷移した状態から移動方向と直交する方向に移動した位置で保持溝１７ａに保持される。このように、操作部１５を保持部１７が確実に保持するため、作業者が操作部１５（係合部１３）を保持する必要はなくなり、スピーカユニット１の取り付け及び取り外しにおける仮止作業を効率よく且つ安全に行うことができる。
【００４３】
また、本実施形態では、フランジ部５の開口５ａまたは切欠と一体となるように、保持部１７をフランジ部５の開口５ａの縁部に形成している。これにより、作業者は、フランジ部５の開口５ａから係合部１３を視認しつつ作業を行うことができるため、保持部１７による係合部１３の保持作業をより効率的に行うことができる。
【００４４】
また、係合部１３の先端である操作部１５は、スピーカ面４よりも表側に突出するように構成してもよいし、スピーカ面４よりも裏側に配置されるように構成してもよい。操作部１５がスピーカ面４よりも表側に突出していると、作業者は係合部１３を把持（操作）しやすくなって作業効率が上がる。一方、係合部１３の先端がスピーカ面４よりも裏側になるように配置すると、係合部１３がスピーカ面４から突出しないため、スピーカ面４周辺の構造の自由度を高めることができる。この構造であっても、作業者は、開口５ａから係合部１３を視認しつつ作業を行うことができるため、保持部１７による係合部１３の保持作業をより効率的に行うことができる。
【００４５】
以上、本発明の実施形態を説明したが、本発明は、上記実施形態に限定されるものではなく、特許請求の範囲、及び明細書と図面に記載された技術的思想の範囲内において種々の変形が可能である。例えば、保持部１７の溝形状や、フランジ部５の開口５ａの形状、それらの大きさは、本実施形態に限定されるものではない。また、開口５ａは必ずしもフランジ部５に形成される必要はなく、表側から係合部１３の先端が視認できればよい。
【００４６】
また、本実施形態では、保持部１７がフランジ部５の開口５ａに形成される構成であったが、これに限るものではなく、保持部１７が結果的に係合部１３の動作を規制できる位置にあればよい。例えば、保持部１７を、キャビネット部２の側面２ｃで、仮止めタブ１１の係合部１３と操作部１５の間の位置に形成することとしてもよい。
【００４７】
また、上記実施形態では、スピーカユニット１を天井などの取付部位に設けた取付孔６１に取り付ける場合を説明したが、本発明にかかるスピーカユニット１は、天井などの取付部位以外にも、例えば、側壁や傾斜壁などに設けた取付孔に埋め込んで取り付けることも可能である。
【００４８】
また、上記実施形態に示す仮止めタブ１１の材質、形状、寸法などはいずれも一例であって、本発明にかかる仮止め片は、上記実施形態に示す以外の材質、形状、寸法を採用することも可能である。例えば、仮止め片は、その材質として、上記の弾性金属製の材料で構成する以外にも、板バネ的な弾性を有する材料であれば、各種合成樹脂材料（プラスチック、ＡＢＳ樹脂材、アクリル樹脂材など）やゴム材料からなる成型品などとして構成することも可能である。また、仮止め片の形状は、上記実施形態に示す薄板状の細片とする以外にも、例えば棒状などであってもよい。さらにいえば、本発明にかかる仮止め片は、上記の係合部及び操作部に対応する部分を備えてさえいれば、必ずしも一体に形成された一部品で構成していなくてもよく、係合部、操作部、傾斜部などの各部が別体であってもよいし、操作部に対する操作に応じて適宜に分離し得る構成などであってもよい。また、仮止め片を一部品で構成する場合には、必ずしもその全体が弾性変形可能に構成されている必要は無く、一部のみが弾性変形することで係合部の係合及びその解除がなされるように構成してもよい。
【００４９】
また、仮止め片の操作部は、上記実施形態に示すように押圧操作される構成には限定されず、例えば、手前に起こすように操作するものや、横方向に移動させて操作するものなど、他の態様で操作される構成を採用することも可能である。
【００５０】
また、上記実施形態に示すスピーカユニット１は、キャビネット部２の内部にスピーカドライバなどの構成部品を内蔵した状態でのユニットであるが、本発明にかかる取付構造を用いて天井や壁などの取付部位に取り付けるスピーカユニットとしては、天井等の取付部位の開口部に埋め込んで取り付けるキャビネット部を備えてさえいれば、該キャビネット部に構成部品の一部又はすべてを内蔵していない状態のものも含むことができる。すなわち、スピーカユニットとして箱状のキャビネット部のみを備えたものを本発明の取付構造にて天井等の開口部などに取り付け、その後、当該キャビネット部に構成部品を収容することなども可能である。
【符号の説明】
【００５１】
１…スピーカユニット、２…キャビネット部、２ａ…底面、２ｂ…天面、２ｃ…側面、４…スピーカ面、５…フランジ部、５ａ…開口、７…底部カバー、７ｃ…外周面、９…スピーカカバー、１０…仮止機構、１１…仮止めタブ、１２…取付部、１３…係合部、１３ａ…外径端、１３ｂ…内径端、１４…傾斜部、１５…操作部、１７…保持部、１７ａ…保持溝、１７ｂ…ガイド溝、１７ｂ１…傾斜面、３０…ストッパー機構、３１…ストッパー片、３１ｂ…下面、３３…ネジ軸、３３ａ…頭部、３３ｂ…軸部、３５…枠部、３５ａ…開口、３５ｂ…側壁、３５ｃ…切欠部、３５ｄ…側壁、３５ｅ…上壁、６０…取付部位、６０ａ…表側、６０ｂ…裏側、６１…取付孔、６１ａ…内周縁、６５…取付用金具、Ｄ１…移動方向、Ｄ２…直交方向
【図１】
0006447193.tif 000002
【図２】
0006447193.tif 000003
【図３】
0006447193.tif 000004
【図４】
0006447193.tif 000005
【図５】
0006447193.tif 000006
【図６】
0006447193.tif 000007
【図７】
0006447193.tif 000008